【事件の表示】
　特願２０１４−２５７６２０号「遊技機」拒絶査定不服審判事件〔平成２７年３月２６日出願公開、特開２０１５−５７１５９号〕について、次のとおり審決する。
【結　論】
　本件審判の請求は、成り立たない。
【理　由】
第１　手続の経緯
　本願は、平成２３年１１月２８日付けで出願された特願２０１１−２５９５６１号の一部を平成２６年１２月１９日に新たな特許出願としたものであって、平成２８年１月２８日付けで拒絶理由通知がなされ、同年４月１日付けで手続補正がなされたが、同年５月６日付けで拒絶査定がなされ、これに対して、同年８月９日付けで拒絶査定不服審判の請求がなされるとともに手続補正（以下、「本件補正」という。）がなされ、同年９月５日付けで前置報告書が作成され、同年１０月１２日付けで上申書が提出された。
第２　本件補正についての補正却下の決定
［補正却下の決定の結論］
　本件補正を却下する。
［理由］
１　本件補正の概要
　本件補正は、特許請求の範囲を補正する内容を含んでおり、本件補正により、特許請求の範囲の請求項１は、
（補正前：平成２８年４月１日付け手続補正）
「【請求項１】
　可変表示を行い、遊技者にとって有利な有利状態に制御可能な遊技機であって、
　可変表示に関する情報を保留情報として記憶可能な保留記憶手段と、
　前記保留記憶手段に記憶されている前記保留情報の各々に対応した保留特定情報を表示する保留表示手段と、
　前記保留情報に基づいて、予告演出を実行する予告演出実行手段と、
　遊技の進行を制御する遊技制御手段と、
　前記遊技制御手段からの情報に基づいて可変表示に対応した演出を制御する演出制御手段と、を備え、
　前記遊技制御手段は、前記保留記憶手段において前記保留情報が増加するときに保留通知情報と、前記保留情報の内容を示す情報と、を送信する情報送信手段を含み、
　前記演出制御手段は、前記情報送信手段が送信する前記保留通知情報と前記保留情報の内容を示す情報とのいずれかを取りこぼした場合に、前記予告演出を制限する制限手段を含み、
　前記予告演出実行手段は、前記保留特定情報の表示態様を変化させる前記予告演出を実行可能であることを特徴とする遊技機。」
から、
（補正後：本件補正である平成２８年８月９日付け手続補正）
「【請求項１】
　可変表示を行い、遊技者にとって有利な有利状態に制御可能な遊技機であって、
　可変表示に関する情報を保留情報として記憶可能な保留記憶手段と、
　前記保留記憶手段に記憶されている前記保留情報の各々に対応した保留特定情報を表示する保留表示手段と、
　
可変表示に関する情報
　遊技の進行を制御する遊技制御手段と、
　前記遊技制御手段からの情報に基づいて可変表示に対応した演出を制御する演出制御手段と、を備え、
　前記遊技制御手段は、前記保留記憶手段において前記保留情報が増加するときに保留通知情報と、
可変表示に関する情報
　前記演出制御手段は、前記情報送信手段が送信する前記保留通知情報
を受信したが
可変表示に関する情報
報を
　前記予告演出実行手段は、前記保留特定情報の表示態様を変化させる前記予告演出を実行可能であることを特徴とする遊技機。」
に補正された（下線は、補正箇所を明示するために当審で付した。）。
２　本件補正の適否
　本件補正は、補正前の請求項１に記載された「前記保留情報」、つまり「可変表示に関する情報を保留情報として記憶可能」という記載で前記されていた「保留情報」について、「
可変表示に関する情報
を受信したが
可変表示に関する情報
報を
　したがって、本件補正は、補正前の請求項１に記載された発明を特定するために必要な事項である「予告演出を制限する制限手段」に関して、予告演出を制限する場合を限定するものであって、補正前の請求項１に記載された発明と補正後の請求項１に記載された発明の産業上の利用分野及び解決しようとする課題が同一であるから、特許法第１７条の２第５項第２号の特許請求の範囲の減縮を目的とするものに該当する。
　また、特許法第１７条の２第３項に違反するところはない。
３　独立特許要件 
　そこで、本件補正後の請求項１に記載された発明（以下、「本願補正発明」という。）が特許法第１７条の２第６項において準用する同法第１２６条第７項の規定に適合するか（特許出願の際独立して特許を受けることができるものであるか）について以下に検討する。 
（１）　本願補正発明
　本願補正発明は、上記１の本件補正の概要において示した次のとおりのものである（Ａ〜Ｉは、本願補正発明を分説するため当審で付した。）。
「【請求項１】
Ａ　可変表示を行い、遊技者にとって有利な有利状態に制御可能な遊技機であって、
Ｂ　可変表示に関する情報を保留情報として記憶可能な保留記憶手段と、
Ｃ　前記保留記憶手段に記憶されている前記保留情報の各々に対応した保留特定情報を表示する保留表示手段と、
Ｄ　可変表示に関する情報に基づいて、予告演出を実行する予告演出実行手段と、
Ｅ　遊技の進行を制御する遊技制御手段と、
Ｆ　前記遊技制御手段からの情報に基づいて可変表示に対応した演出を制御する演出制御手段と、を備え、
Ｇ　前記遊技制御手段は、前記保留記憶手段において前記保留情報が増加するときに保留通知情報と、可変表示に関する情報の内容を示す情報と、を送信する情報送信手段を含み、
Ｈ　前記演出制御手段は、前記情報送信手段が送信する前記保留通知情報を受信したが前記可変表示に関する情報の内容を示す情報を取りこぼした場合に、前記予告演出を制限する制限手段を含み、
Ｉ　前記予告演出実行手段は、前記保留特定情報の表示態様を変化させる前記予告演出を実行可能であることを特徴とする遊技機。」
（２）　刊行物に記載された事項
　原査定の拒絶の理由に引用された特開２０１１−１６７３６５号公報（以下、「刊行物１」という。）には、次の事項が記載されている（下線は当審で付した。）。
（ア）　「【００３８】
　遊技球が第１始動入賞口６２に入球すると、第１特別図柄表示装置７０において
第１特別図柄１９２が変動表示され
装飾図柄１９０が変動表示され
第２特別図柄１９３が変動表示され
装飾図柄１９０が変動表示され
遊技者に有利な遊技状態である特別遊技に移行
（イ）　「【００４５】
　図２は、ぱちんこ遊技機の背面側における基本的な構造を示す。電源スイッチ４０はぱちんこ遊技機１０の電源をオンオフするスイッチである。メイン基板１０２は、
ぱちんこ遊技機１０
サブ基板１０４
演出図柄表示装置６０における表示内容を制御
メイン基板１０２による抽選結果に応じて表示内容
【００４６】
　図３は、第１実施例におけるぱちんこ遊技機１０の機能ブロックを示す。ぱちんこ遊技機１０において、遊技制御装置１００は、第１始動入賞口６２、第２始動入賞口６３、第１大入賞口９１、第２大入賞口９２、一般入賞口７２、作動口６８、第１特別図柄表示装置７０、第２特別図柄表示装置７１、演出図柄表示装置６０、普通図柄表示装置５９、操作ボタン８２、スピーカ１８、遊技効果ランプ９０のそれぞれと電気的に接続されており、各種制御信号の送受信を可能とする。遊技制御装置１００は、遊技の基本動作だけでなく、図柄変動表示や電飾等の演出的動作も制御する。遊技制御装置１００は、遊技の基本動作や
遊技の進行を
制御する
メイン基板１０２
図柄の演出等を制御する
サブ基板１０４
【００４７】
　第１実施例における
メイン基板１０２は
第１抽選手段１２６
第２抽選手段１２８
備える
サブ基板１０４
演出決定手段１３２
備える
（ウ）　「【００７３】
　一部既述したように、第１実施例の
第１抽選手段１２６は
入球時に
第２抽選手段１２８は
入球時
第１抽選手段１２６および第２抽選手段１２８は
事前判定結果
として、当否範囲、図柄範囲、パターン範囲のそれぞれを示す
コマンド
を設定
【００７４】
  
第１抽選手段１２６は、第１始動入賞口６２への入球時に
入賞情報と事前判定結果とをともに演出決定手段１３２へ送信する
第２抽選手段１２８は、第２始動入賞口６３への入球時に
入賞情報と事前判定結果とをともに演出決定手段１３２へ送信する
【００７５】
　・・・
【００７６】
　保留制御手段１１６は、第１保留手段１４４、第２保留手段１４６、普図保留手段１４７を含む。
第１保留手段１４４
その抽選に対応する図柄の変動表示開始まで保留する
第１の抽選の結果として
当否抽選値と事前判定結果としての当否範囲、図柄範囲、パターン範囲の設定
保持
第２保留手段１４６
その抽選に対応する図柄の変動表示開始まで保留する
第２の抽選の結果として
当否抽選値と事前判定結果としての当否範囲、図柄範囲、パターン範囲の設定
保持
保留の数は、演出図柄表示装置６０の第１保留数１９６および第２保留数１９７として
表示
（エ）　「【０１０１】
　第１実施例における特徴的な構成を以下説明する。
　演出決定手段１３２は、第１始動入賞口６２への入球に対応する入賞情報と事前判定結果とを第１抽選手段１２６から受け付けると、その
事前判定結果の内容に応じて前兆設定
事前判定結果の内容に応じて前兆設定
演出表示制御手段１３４
予告演出を表示させる
事前判定結果に応じて設定される予告演出を「先読み演出」とも呼ぶ
【０１０２】
　また演出決定手段１３２は、入賞情報に設定された
第１保留手段１４４における
第１の保留数
と第２保留手段１４６における
第２の保留数
、および、図柄変動の実行状況
に応じて、現在時点での第１の保留数および第２の保留数
特定
演出表示制御手段１３４は、演出決定手段１３２において特定された第１の保留数および第２の保留数を、演出図柄表示装置６０の第１保留数１９６および第２保留数１９７に表示させる
【０１０３】
　第１実施例の演出決定手段１３２は、実際の図柄変動の態様を示唆しない、すなわち意図しない内容の先読み演出が表示されることを抑止して、意図する内容の先読み演出の表示を確保するために、入賞情報を受け付けた際、および、変動開始コマンドを受け付けた際に、以下の検証処理をさらに実行する。
【０１０４】
　すなわち、演出決定手段１３２は、事前判定結果を受け付けた際に、その事前判定結果の内容と、所定のコマンドテーブルにおいて予め定められた事前判定結果のあるべき形式とが整合するか否かを判定する。
具体的には
コマンドテーブルで規定された事前判定結果に設定されるべき
当否範囲・図柄範囲・パターン範囲のそれぞれを示すコマンド
が、検証対象の事前判定結果に設定されているかを判定
【０１０５】
　２点目は、複数のコマンドが、コマンドテーブルで規定された順序どおりに、検証対象の事前判定結果に設定されているかを判定する。３点目は、検証対象の事前判定結果に設定された各コマンド値が、コマンドテーブルで規定された遊技状態ごとの値範囲にあるかを確認する。例えば図９の事前パターン判定テーブルが使用される場合で、当否結果が外れ（すなわち当否範囲が「３」）の場合は、事前判定結果においてパターン範囲を示すコマンドが「１〜３」の範囲で設定されていることを確認する。
演出決定手段１３２は、事前判定結果の設定内容とコマンドテーブルでの規定内容とが不整合である場合、以降の先読み演出の設定および表示を抑止する
【０１０６】
　また演出決定手段１３２は、
入賞情報を受け付けた際
（オ）　「【０１１７】
　図１５は、図１４におけるＳ１５０の先読み処理を詳細に示すフローチャートである。いわゆる先読みによって得られる情報に基づいてどのような演出をサブ基板１０４において実行するか、また事前判定結果がどのような結果の場合にその結果に応じた演出を実行するかといった基準は、ぱちんこ遊技機１０における遊技性の設計に応じて種々考えられる。第１実施例および後述する第２実施例においては、「スーパー１」の変動パターンが選択されたことを事前判定処理の結果に基づいてあらかじめサブ基板１０４側でも認識し、大当たりの期待度が高いことを演出的に示唆することとする。なお、以下の「先読み設定」は、先読み処理そのものを実施するか（オン）否か（オフ）を示すフラグであり、初期状態はオンに設定される。
「前兆設定」は、先読み処理の結果先読み演出を実行するか（オン）否か（オフ）を示すフラグであり、初期状態はオフに設定される
【０１１８】
　
サブ基板１０４の演出決定手段１３２がメイン基板１０２から入賞情報と事前判定結果を受信した場合（Ｓ１６０のＹ）
入賞情報の保留数および事前判定結果の設定内容が適正である場合（Ｓ１６４のＹ）、演出決定手段１３２は、入賞情報と事前判定結果を所定のバッファに記憶させる（Ｓ１６５）
【０１１９】
　
事前判定結果の設定内容があるべき形式に不整合の場合（Ｓ１６４のＮ）、以下の先読み演出抑止処理を実行する。すなわち、演出決定手段１３２は
前兆設定をオフにする（Ｓ１７６）
（カ）　「【０１６７】
　上記の第１実施例および第２実施例においては特に言及しなかったが、変形例として、
先読み演出を設定する契機、言い換えれば前兆設定の契機となった入賞情報について、その保留の表示態様を
事前判定結果を示唆する表示態様
（キ）　上記（イ）の【００４７】には、「サブ基板１０４は・・・演出決定手段１３２・・・を備える」と記載されているから、
サブ基板１０４は、演出決定手段１３２を含
　また、上記（ウ）の【００７３】には、「第１抽選手段１２６および第２抽選手段１２８は、・・・事前判定結果・・・として、当否範囲、図柄範囲、パターン範囲のそれぞれを示す・・・コマンド・・・を設定する」と記載され、また、同【００７４】には、「第１抽選手段１２６は・・・入賞情報と事前判定結果とをともに演出決定手段１３２へ送信する。第２抽選手段１２８は・・・入賞情報と事前判定結果とをともに演出決定手段１３２へ送信する」と記載されているから、
第１抽選手段１２６及び第２抽選手段１２８が、入賞情報と事前判定結果として当否範囲、図柄範囲、パターン範囲のそれぞれを示すコマンドを送信する
　さらに、上記（オ）の【０１１７】には、「「
前兆設定
先読み演出を実行するか
否か
を示す
入賞情報と事前判定結果を受信した
事前判定結果の設定内容があるべき形式に不整合の場合
演出決定手段１３２は・・・前兆設定をオフにする
入賞情報と事前判定結果を受信したが、事前判定結果の設定内容があるべき形式に不整合の場合に、先読み演出を実行するか否かを示す前兆設定をオフにする演出決定手段１３２
　ここで、当該「事前判定結果の設定内容があるべき形式に不整合の場合」であるか否かの具体的な判定について、上記（エ）の【０１０４】には、「具体的には・・・コマンドテーブルで規定された事前判定結果に設定されるべき・・・当否範囲・図柄範囲・パターン範囲のそれぞれを示すコマンド・・・が、検証対象の事前判定結果に設定されているかを判定する」と記載され、また、同【０１０５】には、「
演出決定手段１３２は、事前判定結果の設定内容とコマンドテーブルでの規定内容とが不整合である場合、以降の先読み演出の設定および表示を抑止する
　そうすると、上記（エ）には、
当否範囲、図柄範囲、パターン範囲のそれぞれを示すコマンドについて、設定されるべき全コマンドが設定されていない場合に、先読み演出の設定および表示を抑止する
　したがって、上記（イ）〜（オ）から、
サブ基板１０４は、第１抽選手段１２６及び第２抽選手段１２８が送信する入賞情報と事前判定結果を受信したが、事前判定結果としての当否範囲、図柄範囲、パターン範囲のそれぞれを示すコマンドについて、設定されるべき全コマンドが設定されていない場合に、先読み演出を実行するか否かを示す前兆設定をオフにして、先読み演出の設定および表示を抑止する演出決定手段１３２を含
（ク）　上記（エ）の【０１０１】には、「演出表示制御手段１３４は・・・予告演出を表示させる。以下、事前判定結果に応じて設定される予告演出を「先読み演出」とも呼ぶ」と記載されているから、「演出表示制御手段１３４」は、「予告演出」である「先読み演出」を制御しているといえる。
　また、同【０１０２】には、「演出表示制御手段１３４は、演出決定手段１３２において特定された第１の保留数および第２の保留数を、演出図柄表示装置６０の第１保留数１９６および第２保留数１９７に表示させる」と記載されているから、「演出表示制御手段１３４」は「第１の保留数および第２の保留数」の表示を制御しているといえる。
　さらに、上記（カ）の【０１６７】には、「先読み演出を設定する契機、言い換えれば前兆設定の契機となった入賞情報について、その保留の表示態様を通常とは異なる態様に変更してもよい。また事前判定結果を示唆する表示態様としてもよい」と記載されている。
　そして、当該【０１６７】に記載された、「先読み演出」を設定する契機となった入賞情報について「保留の表示態様」を事前判定結果を示唆する表示態様とする演出は、「
第１の保留数および第２の保留数
の表示態様を変更する
予告演出
演出表示制御手段１３４
制御
　したがって、上記（エ）、（カ）から、
演出表示制御手段１３４は、第１の保留数および第２の保留数の表示態様を変更する予告演出を制御する
　以上（ア）〜（カ）の記載事項及び（キ）、（ク）の認定事項から、刊行物１には、次の発明が記載されていると認められる（以下、「引用発明」という。ａ〜ｉは引用発明を分説するため当審で付した。）。
「ａ　第１特別図柄１９２、第２特別図柄１９３、装飾図柄１９０が変動表示され、遊技者に有利な遊技状態である特別遊技に移行するぱちんこ遊技機１０であって、（【００３８】、【００４５】）
ｂ　第１の抽選の結果又は第２の抽選の結果として当否抽選値と事前判定結果としての当否範囲、図柄範囲、パターン範囲の設定を保持し、その抽選に対応する図柄の変動表示開始まで保留する、第１保留手段１４４及び第２保留手段１４６と、（【００７６】）
ｃ　第１保留手段１４４と第２保留手段１４６における第１の保留数と第２の保留数、および、図柄変動の実行状況に応じて特定された、現在時点での第１の保留数および第２の保留数を表示する演出図柄表示装置６０と、（【０１０２】）
ｄ　事前判定結果に応じて設定される予告演出である先読み演出を表示させる演出表示制御手段１３４と、（【０１０１】）
ｅ　遊技の進行を制御するメイン基板１０２と、（【００４６】）、
ｆ　メイン基板１０２による抽選結果に応じて演出図柄表示装置６０における表示内容、図柄の演出等を制御するサブ基板１０４と、を備え、（【００４５】、【００４６】）
ｇ　メイン基板１０２は、第１始動入賞口６２又は第２始動入賞口６３への入球時に、第１の抽選又は第２の抽選であることを示す値や、第１の遊技又は第２の遊技における保留数を含む入賞情報と、当否範囲、図柄範囲、パターン範囲のそれぞれを示すコマンドが設定された事前判定結果とをともに演出決定手段１３２へ送信する第１抽選手段１２６又は第２抽選手段１２８、とを備え、（【００４７】、【００７３】、【００７４】）、
ｈ’　サブ基板１０４は、第１抽選手段１２６及び第２抽選手段１２８が送信する入賞情報と事前判定結果を受信したが、事前判定結果としての当否範囲、図柄範囲、パターン範囲のそれぞれを示すコマンドについて、設定されるべき全コマンドが設定されていない場合、先読み演出を実行するか否かを示す前兆設定をオフにして、先読み演出の設定および表示を抑止する演出決定手段１３２を含み、（キ）
ｉ　演出表示制御手段１３４は、第１の保留数および第２の保留数の表示態様を変更する予告演出を制御するぱちんこ遊技機１０。（（ク）、【００４５】）」
（３）　対比
　本願補正発明と引用発明とを対比する。対比の見出しとしての（ａ）〜（ｉ）は引用発明の分説構成と対応させた。
（ａ）　引用発明における、「第１特別図柄１９２、第２特別図柄１９３、装飾図柄１９０が変動表示され」ること、「遊技者に有利な遊技状態」である特別遊技に「移行」し得ること、「ぱちんこ遊技機１０」は、それぞれ、本願補正発明における、「可変表示」が行われること、「遊技者にとって有利な有利状態」に「制御可能」であること、「遊技機」に相当する。
　したがって、引用発明の「第１特別図柄１９２、第２特別図柄１９３、装飾図柄１９０が変動表示され、遊技者に有利な遊技状態である特別遊技に移行するぱちんこ遊技機１０」は、本願補正発明の「可変表示を行い、遊技者にとって有利な有利状態に制御可能な遊技機」に相当する。
（ｂ）　引用発明における「第１の抽選の結果又は第２の抽選の結果として当否抽選値と事前判定結果としての当否範囲、図柄範囲、パターン範囲の設定」は、「その抽選に対応する図柄の変動表示開始まで保留」される情報であるから、本願補正発明における「保留情報」に相当するし、図柄の変動表示に関する情報であることも明らかであるから、本願補正発明における「可変表示に関する情報」に相当する。
　また、引用発明における、「保持」し得ること、「第１保留手段１４４及び第２保留手段１４６」は、それぞれ、本願補正発明における、「記憶可能」であること、「保留記憶手段」に相当する。
　したがって、引用発明の「第１の抽選の結果又は第２の抽選の結果として当否抽選値と事前判定結果としての当否範囲、図柄範囲、パターン範囲の設定を保持し、その抽選に対応する図柄の変動表示開始まで保留する、第１保留手段１４４及び第２保留手段１４６」は、本願補正発明の「可変表示に関する情報を保留情報として記憶可能な保留記憶手段」に相当する。
（ｃ）　引用発明の「第１保留手段１４４と第２保留手段１４６」は、本願補正発明の「前記保留記憶手段」に相当する。
　引用発明における「第１の保留数と第２の保留数、および、図柄変動の実行状況に応じて特定された、現在時点での第１の保留数および第２の保留数」は、「第１保留手段１４４と第２保留手段１４６」に「保留」された「当否抽選値」等の保留情報について、各々に対応した現在時点での保留の数を特定する情報であるといえるから、本願補正発明の「前記保留情報の各々に対応した保留特定情報」に相当する。
　そうすると、引用発明の「現在時点での第１の保留数および第２の保留数」を「表示」する「演出図柄表示装置６０」は、本願補正発明の「保留特定情報」を「表示」する「保留表示手段」を備えているといえる。
　したがって、引用発明の「第１保留手段１４４と第２保留手段１４６における第１の保留数と第２の保留数、および、図柄変動の実行状況に応じて特定された、現在時点での第１の保留数および第２の保留数を表示する演出図柄表示装置６０」は、本願補正発明の「前記保留記憶手段に記憶されている前記保留情報の各々に対応した保留特定情報を表示する保留表示手段」を備えている。
（ｄ）　引用発明の「事前判定結果」は、上記（ｂ）に示したとおり、「当否範囲、図柄範囲、パターン範囲の設定」からなり、当該「当否範囲、図柄範囲、パターン範囲の設定」は、図柄の変動表示に関する情報であることは明らかであるから、引用発明の「事前判定結果」としての「当否範囲、図柄範囲、パターン範囲の設定」は、本願補正発明の「可変表示に関する情報」に相当する。
　また、引用発明における、「予告演出である先読み演出」、「演出を表示させる」ことは、それぞれ、本願補正発明における、「予告演出」、「演出を実行する」ことに相当する。
　そうすると、引用発明における「事前判定結果」としての「当否範囲、図柄範囲、パターン範囲の設定」に応じて設定され「表示」される「予告演出である先読み演出」は、本願補正発明における「可変表示に関する情報」に基づいて「実行」される「予告演出」に相当する。
　そして、引用発明の「演出表示制御手段１３４」は、本願補正発明の「予告演出実行手段」に相当する。
　したがって、引用発明の「事前判定結果に応じて設定される予告演出である先読み演出を表示させる演出表示制御手段１３４」は、本願補正発明の「可変表示に関する情報に基づいて、予告演出を実行する予告演出実行手段」に相当する。
（ｅ）　引用発明の「遊技の進行を制御するメイン基板１０２」は、本願補正発明の「遊技の進行を制御する遊技制御手段」に相当する。
（ｆ）　引用発明において、「メイン基板１０２による抽選結果に応じて」演出を制御することは、本願補正発明において、「前記遊技制御手段からの情報に基づいて」演出を制御することに相当する。
　また、引用発明において、「演出図柄表示装置６０における表示内容、図柄の演出等を制御する」ことは、図柄の変動表示に対応した演出を制御することを含むことは明らかであるから、本願補正発明において、「可変表示に対応した演出を制御する」ことに相当する。
　そして、引用発明の「サブ基板１０４」は、本願補正発明の「演出制御手段」に相当する。
　したがって、引用発明の「メイン基板１０２による抽選結果に応じて演出図柄表示装置６０における表示内容、図柄の演出等を制御するサブ基板１０４」は、本願補正発明の「前記遊技制御手段からの情報に基づいて可変表示に対応した演出を制御する演出制御手段」に相当する。
（ｇ）　引用発明において、「第１始動入賞口６２又は第２始動入賞口６３への入球時」に、保留数等の情報を「送信」することは、当該「入球時」に「保留数」が増加することに応じて行われていることは明らかである。そして、引用発明において、当該「保留数」が増加するときには、「第１保留手段１４４と第２保留手段１４６における第１の保留数と第２の保留数」のいずれかが増加することも明らかである。そうすると、引用発明において、「第１始動入賞口６２又は第２始動入賞口６３への入球時」に、保留数等の情報を「送信」することは、本願補正発明において、「前記保留記憶手段において前記保留情報が増加するときに」情報を「送信」することに相当する。
　また、引用発明の「第１の抽選又は第２の抽選であることを示す値や、第１の遊技又は第２の遊技における保留数を含む入賞情報」は、保留に関して通知される情報であるといえるから、本願補正発明の「保留通知情報」に相当する。
　さらに、上記（ｂ）に示したとおり、引用発明の「当否範囲、図柄範囲、パターン範囲のそれぞれを示すコマンド」は、「事前判定結果」としての「当否範囲、図柄範囲、パターン範囲の設定」の内容を示す情報、つまり本願補正発明の「可変表示に関する情報」の内容を示す情報であるといえるから、本願補正発明の「可変表示に関する情報の内容を示す情報」に相当する。
　そして、引用発明の「第１抽選手段１２６又は第２抽選手段１２８」は、本願補正発明の「情報送信手段」に相当し、引用発明において「メイン基板１０２」が「第１抽選手段１２６又は第２抽選手段１２８」を「備える」ことは、本願補正発明において「前記遊技制御手段」が「情報送信手段」を「含む」ことに相当する。
　したがって、引用発明において、「メイン基板１０２は、第１始動入賞口６２又は第２始動入賞口６３への入球時に、第１の抽選又は第２の抽選であることを示す値や、第１の遊技又は第２の遊技における保留数を含む入賞情報と、当否範囲、図柄範囲、パターン範囲のそれぞれを示すコマンドが設定された事前判定結果とをともに演出決定手段１３２へ送信する第１抽選手段１２６又は第２抽選手段１２８とを備える」ことは、本願補正発明において、「前記遊技制御手段は、前記保留記憶手段において前記保留情報が増加するときに保留通知情報と、可変表示に関する情報の内容を示す情報と、を送信する情報送信手段とを含む」ことに相当する。
（ｈ）　引用発明における、「サブ基板１０４」、「第１抽選手段１２６及び第２抽選手段１２８」、「入賞情報」を「受信した」こと、「事前判定結果としての当否範囲、図柄範囲、パターン範囲のそれぞれを示すコマンド」、「先読み演出を実行するか否かを示す前兆設定をオフにして、先読み演出の設定および表示を抑止する」ことは、それぞれ、本願補正発明における、「前記演出制御手段」、「前記情報送信手段」、「前記保留通知情報」を「受信した」こと、「前記可変表示に関する情報の内容を示す情報」、「前記予告演出を制限する」ことに相当する。
　そして、引用発明の「演出決定手段１３２」は、「先読み演出を実行するか否かを示す前兆設定をオフにして、先読み演出の設定および表示を抑止する」、つまり本願補正発明の「前記予告演出を制限する」手段であるから、本願補正発明の「制限手段」に対応する。
　また、引用発明の「事前判定結果としての当否範囲、図柄範囲、パターン範囲のそれぞれを示すコマンドについて、設定されるべき全コマンドが設定されていない場合」と、本願補正発明の「前記可変表示に関する情報の内容を示す情報を取りこぼした場合」は、いずれも正常でない状態であり、予告演出を制限している点で共通する。
　したがって、引用発明と本願補正発明は、
「前記演出制御手段」は、「前記情報送信手段が送信する前記保留通知情報を受信したが」正常でない状態の「前記可変表示に関する情報の内容を示す情報」に基づいて「前記予告演出を制限する」「制限手段」
（ｉ）　引用発明における、「演出表示制御手段１３４」、「第１の保留数および第２の保留数」、「表示態様を変更する」こと、「予告演出を制御する」こと、「ぱちんこ遊技機１０」は、それぞれ、本願補正発明における、「前記予告演出実行手段」、「前記保留特定情報」、「表示態様を変化させる」こと、「前記予告演出を実行可能である」こと、「遊技機」に相当する。
　したがって、引用発明の「演出表示制御手段１３４は、第１の保留数および第２の保留数の表示態様を変更する予告演出を制御する」ぱちんこ遊技機１０は、本願補正発明の「前記予告演出実行手段は、前記保留特定情報の表示態様を変化させる前記予告演出を実行可能である」遊技機に相当する。
　以上（ａ）〜（ｉ）の検討より、本願補正発明と引用発明とは、
「Ａ　可変表示を行い、遊技者にとって有利な有利状態に制御可能な遊技機であって、
Ｂ　可変表示に関する情報を保留情報として記憶可能な保留記憶手段と、
Ｃ　前記保留記憶手段に記憶されている前記保留情報の各々に対応した保留特定情報を表示する保留表示手段と、
Ｄ　可変表示に関する情報に基づいて、予告演出を実行する予告演出実行手段と、
Ｅ　遊技の進行を制御する遊技制御手段と、
Ｆ　前記遊技制御手段からの情報に基づいて可変表示に対応した演出を制御する演出制御手段と、を備え、
Ｇ　前記遊技制御手段は、前記保留記憶手段において前記保留情報が増加するときに保留通知情報と、可変表示に関する情報の内容を示す情報と、を送信する情報送信手段を含み、
Ｈ’　前記演出制御手段は、前記情報送信手段が送信する前記保留通知情報を受信したが正常でない状態の前記可変表示に関する情報の内容を示す情報に基づいて前記予告演出を制限する制限手段を含み、
Ｉ　前記予告演出実行手段は、前記保留特定情報の表示態様を変化させる前記予告演出を実行可能であることを特徴とする遊技機。」
の点で一致し、以下の点で相違する。
［相違点］：予告演出を、本願補正発明では「前記保留通知情報を受信したが前記可変表示に関する情報の内容を示す情報を取りこぼした場合」に制限するのに対し、引用発明では「入賞情報を受信したが、事前判定結果としての当否範囲、図柄範囲、パターン範囲のそれぞれを示すコマンドについて、設定されるべき全コマンドが設定されていない場合」に制限しており、「取りこぼした場合」に制限するという特定がされていない点。（Ｈ）
（４）　判断
ア　相違点について
　本願補正発明の「情報を取りこぼした」とは、送信されてきた情報の少なくとも一部を正常に受け取ることができなかったことを意味するといえる。
　そして、引用発明は、「入賞情報を受信したが、事前判定結果としての当否範囲、図柄範囲、パターン範囲のそれぞれを示すコマンドについて、設定されるべき全コマンドが設定されていない場合」に予告演出を制限するものであるが、当該「設定されるべき全コマンドが設定されていない場合」として、「第１抽選手段１２６及び第２抽選手段１２８」から送信された「事前判定結果としての当否範囲、図柄範囲、パターン範囲のそれぞれを示すコマンド」の少なくとも一部を正常に受け取ることができなかった、つまり当該コマンドを取りこぼしたために、当該「設定」がされなかった場合が含まれることは明らかである。
　そうすると、引用発明において、正常でない状態の「事前判定結果としての当否範囲、図柄範囲、パターン範囲のそれぞれを示すコマンド」に基づいて予告演出を制限するか否かを判定するために、「設定されるべき全コマンドが設定されていない」かの判定に代えて、「事前判定結果としての当否範囲、図柄範囲、パターン範囲のそれぞれを示すコマンド」の少なくとも一部を正常に受け取ることができなかったか、つまり当該コマンドを取りこぼしたか、を判定することで、上記相違点に係る本願補正発明の構成とすることは、引用発明に含まれる事項の一部を適宜採用する程度のことであって、当業者であれば容易になし得たことである。
イ　請求人の主張及び本願補正発明が奏する効果について
ａ　審判請求書における主張について
　請求人は本願補正発明について、審判請求書（５．（１））において、「引用文献１の段落０００６〜００１０に記載された発明は、入球時に通知される情報と変動開始時に通知される情報とが整合しているか否かを判定しているのであって、「保留通知情報を受信したが前記可変表示に関する情報の内容を示す情報を取りこぼした」か否かを判定するものではありません。なお、引用文献１の段落０００８には・・・結果として不整合があった場合には、入賞情報または事前判定結果の通知における異常が発生していたことがわかることが記載されているだけであって、異常の種類を特定することは記載されていません。即ち、引用文献１の段落０００６〜００１０に記載された発明は、実際に入賞情報または事前判定結果の欠落があったか否かを判定していません。・・・また・・・補正後の請求項１に係る発明は、保留通知情報は受信したが可変表示に関する情報の内容を示す情報を取りこぼした場合に、予告演出を制限するものであって、引用文献１の段落０１０６に記載の内容とは前提が異なります」と主張する。
　しかしながら、当該引用文献１、つまり刊行物１については、請求人が引用する段落の記載のみならず、上記（２）に示したとおりの記載事項等を有し、上記（３）及び上記アに示したとおりに判断できる。
　また、請求人が主張する「異常の種類を特定する」という効果は、本件補正後の請求項１の記載に基づくものではないから採用することができない。仮に、当該主張が、本件補正後の請求項１の記載に基づいて「前記保留通知情報を受信したが前記可変表示に関する情報の内容を示す情報を取りこぼした場合」を特定することができるという、上記（３）に示した上記相違点に係る効果を主張するものであったとしても、そのような効果を含め上記相違点によって本願補正発明が奏する効果は、当業者が引用発明から予測し得る程度のものであって、格別のものではない。
　したがって、請求人の主張は採用することができない。
ｂ　上申書における主張について
　請求人は本願補正発明について、平成２８年１０月１２日付けの上申書（２．）において、刊行物１の【００１２】の記載に関して、「前置報告書における・・・検討・・・では、「第１始動口または第２始動口への入球があったときに、その入球に対応する事前判定結果が予め定められた所定の形式と不整合である場合も、以降の先読み演出を制限してもよい。」との記載が、本願請求項１に係る「前記演出制御手段は、前記情報送信手段が送信する前記保留通知情報を受信したが前記可変表示に関する情報の内容を示す情報を取りこぼした場合に、前記予告演出を制限する制限手段を含み」に相当すると認定されています。しかしながら、「入球に対応する事前判定結果が予め定められた所定の形式と不整合である」ことは、「保留通知情報を受信したが前記可変表示に関する情報の内容を示す情報を取りこぼした場合」には相当しないものと思料します」と主張する。
　しかしながら、刊行物１については、請求人が引用する【００１２】の記載のみならず、上記（２）に示したとおりの記載事項等を有し、上記（３）及び上記アに示したとおりに判断できることは、上記ａに示したとおりである。
　したがって、請求人の主張は採用することができない。
（５）　まとめ
　以上のように、本願補正発明は、当業者が引用発明に基づいて容易に発明をすることができたものであるから、特許法第２９条第２項の規定により、特許出願の際独立して特許を受けることができない。
４　補正却下の決定についてのむすび
　上記３より、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明について
１　本願発明
　本件補正は上記のとおり却下されたので、本願の請求項１、２に係る発明は、平成２８年４月１日付け手続補正書により補正された特許請求の範囲の請求項１、２に記載されたとおりのものであり、請求項１に係る発明（以下、「本願発明」という。）は次のとおりのものである（Ａ〜Ｉは本願発明を分説するため当審で付した。）。
「【請求項１】
Ａ　可変表示を行い、遊技者にとって有利な有利状態に制御可能な遊技機であって、
Ｂ　可変表示に関する情報を保留情報として記憶可能な保留記憶手段と、
Ｃ　前記保留記憶手段に記憶されている前記保留情報の各々に対応した保留特定情報を表示する保留表示手段と、
Ｄ’　前記保留情報に基づいて、予告演出を実行する予告演出実行手段と、
Ｅ　遊技の進行を制御する遊技制御手段と、
Ｆ　前記遊技制御手段からの情報に基づいて可変表示に対応した演出を制御する演出制御手段と、を備え、
Ｇ’　前記遊技制御手段は、前記保留記憶手段において前記保留情報が増加するときに保留通知情報と、前記保留情報の内容を示す情報と、を送信する情報送信手段を含み、
Ｈ’　前記演出制御手段は、前記情報送信手段が送信する前記保留通知情報と前記保留情報の内容を示す情報とのいずれかを取りこぼした場合に、前記予告演出を制限する制限手段を含み、
Ｉ　前記予告演出実行手段は、前記保留特定情報の表示態様を変化させる前記予告演出を実行可能であることを特徴とする遊技機。」
２　刊行物に記載された事項
　刊行物１の記載事項、認定事項及び刊行物１に記載された発明（引用発明）については、上記「第２　３　（２）」に示したとおりである。
３　対比、判断
　本願発明は、上記「第２　３　（１）」に示した本願補正発明から、「予告演出を制限する制限手段」が予告演出を制限する「場合」に関して、本願補正発明の「前記保留通知情報を受信したが前記可変表示に関する情報の内容を示す情報を取りこぼした場合」という限定を実質的に削除して、当該場合を実質的に含む「前記保留通知情報と前記保留情報の内容を示す情報とのいずれかを取りこぼした場合」としつつ、あわせて、「可変表示に関する情報」という記載に関して、当該情報を実質的に含む「前記保留情報」としたものである。
　しかしながら、引用発明も「事前判定結果としての当否範囲、図柄範囲、パターン範囲のそれぞれを示すコマンドについて、設定されるべき全コマンドが設定されていない場合」に予告演出を制限するものであって、当該「事前判定結果としての当否範囲、図柄範囲、パターン範囲のそれぞれを示すコマンド」は、本願発明の「前記保留情報の内容を示す情報」に相当するから、本願発明と引用発明は、上記「第２　（３）」に示したように、引用発明では「取りこぼした場合」に予告演出を制限するという特定がされていない点で相違するのみである。
　そうすると、当該相違点については、上記「第２　３　（４）」に示したとおりに判断でき、引用発明において当該相違点に係る本願発明の構成とすることは、引用発明に含まれる事項の一部を適宜採用する程度のことであって、当業者であれば容易になし得たことであるといえる。
　したがって、本願発明は、当業者が引用発明に基づいて容易に発明をすることができたものである。
４　むすび
　以上のとおりであるから、本願発明は、特許法第２９条第２項の規定により、特許を受けることができない。 
　したがって、その余の請求項について検討するまでもなく、本願は、拒絶されるべきものである。
　よって、結論のとおり審決する。